(57)【要約】  アクティブ状態及びアイドル状態を有するユーザ通信デバイスがセルラー通信ネットワークにおいて動作し、そのユーザ通信デバイスはネットワークのセルのネットワーク通信デバイスを通じて通信する。アイドル状態にある間にユーザ通信デバイスが存在していたセルを識別する履歴データが保持される。この履歴データは、アクティブ状態においてユーザ通信デバイスのためのセル選択／再選択パラメータを調整できるようにするために、ユーザ通信デバイス又はネットワーク通信デバイスによって用いられる。
2011511488.tif 000002
【特許請求の範囲】
【請求項１】
セルラー通信ネットワークにおいてアクティブ状態及びアイドル状態を有するユーザ通信デバイスによって実行される方法であって、該ユーザ通信デバイスは前記ネットワークのセルのネットワーク通信デバイスを通じて通信し、該方法は、前記ユーザ通信デバイスが：前記アイドル状態にある間の該ユーザ通信デバイスの位置を識別する履歴データを保持すること、及び前記履歴データに関連するデータをネットワーク通信デバイスに提供することを含む、方法。
【請求項２】
セルラー通信ネットワークにおいてアクティブ状態及びアイドル状態を有するユーザ通信デバイスによって実行される方法であって、該ユーザ通信デバイスは前記ネットワークのセルのネットワーク通信デバイスを通じて通信し、該方法は、前記ユーザ通信デバイスが：前記アイドル状態にある間の該ユーザ通信デバイスの位置を識別する履歴データを保持すること、及び前記アクティブ状態にあるときの前記履歴データに関連するデータをネットワーク通信デバイスに提供することを含む、方法。
【請求項３】
前記ユーザ通信デバイスは、前記アイドル状態にある間に位置していたセルに関連する履歴データを保持する、請求項１又は２に記載の方法。
【請求項４】
前記ユーザ通信デバイスは、前記アイドル状態にある間に位置していた直前のｎ個のセルに関連する履歴データを保持する、請求項３に記載の方法。
【請求項５】
前記履歴データは、セル識別データと、前記アイドル状態にある間に前記ユーザ通信デバイスが前記セル内に位置していた時間を識別するデータとを含む、請求項３又は４に記載の方法。
【請求項６】
前記履歴データはトラッキングエリア識別データを含む、請求項１〜５のいずれか一項に記載の方法。
【請求項７】
前記履歴データは、ＬＴＥ内周波数内セル選択／再選択に関連する履歴データを含む、請求項３〜６のいずれか一項に記載の方法。
【請求項８】
前記履歴データは、ＬＴＥ内周波数間セル選択／再選択に関連する履歴データを含む、請求項３〜７のいずれか一項に記載の方法。
【請求項９】
前記履歴データは、ＲＡＴ間セル選択／再選択に関連する履歴データを含む、請求項３〜８のいずれか一項に記載の方法。
【請求項１０】
前記履歴データは周波数情報を含む、請求項３〜９のいずれか一項に記載の方法。
【請求項１１】
前記履歴データはＲＡＴ及び周波数情報を含む、請求項９に記載の方法。
【請求項１２】
前記データを提供することは、前記ユーザ通信デバイスによって開始される、請求項１〜１１のいずれか一項に記載の方法。
【請求項１３】
前記ユーザ通信デバイスは、前記アクティブ状態に入ると、前記履歴データに関連するデータの提供を開始する、請求項１２に記載の方法。
【請求項１４】
前記ユーザ通信デバイスは、ＲＲＣ初期直接転送において、又はアイドルからアクティブへの移行に関連する任意の他のＲＲＣメッセージにおいて、前記履歴データに関連するデータの提供を開始する、請求項１３に記載の方法。
【請求項１５】
前記ユーザ通信デバイスは、セル間及びトラッキングエリア間のうちの少なくとも一方においてピンポン現象の指示を検出するのに応答して、前記履歴データに関連するデータの提供を開始する、請求項１２、１３又は１４に記載の方法。
【請求項１６】
前記ユーザ通信デバイスによって提供されるデータは、ピンポン現象が生じている前記セル及び／又は前記トラッキングエリアを識別するデータを含む、請求項１５に記載の方法。
【請求項１７】
前記ユーザ通信デバイスによって提供されるデータは時間情報も含む、請求項１６に記載の方法。
【請求項１８】
前記ユーザ通信デバイスは、前記データを送信して提供する前に確認を実行する、請求項１２〜１７のいずれか一項に記載の方法。
【請求項１９】
前記ユーザ通信デバイスは、前記データを提供する前に、前記ユーザ通信デバイスが高速移動状態にあるか否かを判断し、高速移動状態にある場合には、前記データを提供しない、請求項１２〜１８のいずれか一項に記載の方法。
【請求項２０】
前記ユーザ通信デバイスは、前記データを提供する前に、前記ユーザ通信デバイスが存在するセルのトラッキングエリアが、前記ユーザ通信デバイスが存在していた直前のセルのトラッキングエリアと異なるか否かを確認する、請求項１２〜１９のいずれか一項に記載の方法。
【請求項２１】
前記ユーザ通信デバイスは、前記ユーザ通信デバイスが存在するセルの前記トラッキングエリアが、前記ユーザ通信デバイスが存在していた直前のセルの前記トラッキングエリアと異なる場合にのみ、前記データを提供する、請求項２１に記載の方法。
【請求項２２】
前記通信デバイスは、ネットワーク通信デバイスからの要求に応答して、前記履歴データに関連するデータを提供する、請求項１〜２１のいずれか一項に記載の方法。
【請求項２３】
セル間のピンポン現象を指示する前記履歴データに関連するデータを提供するのに応答して、前記ユーザ通信デバイスは、ネットワークデバイスから新たな１組のセル選択／再選択パラメータを受信することをさらに含む、請求項１〜２２のいずれか一項に記載の方法。
【請求項２４】
セルラー通信ネットワークにおいてネットワーク通信デバイスによって実行される方法であって、アクティブ状態及びアイドル状態を有するユーザ通信デバイスが前記ネットワークのセルの前記ネットワーク通信デバイスを通じて通信し、該方法は、前記ネットワーク通信デバイスが：ユーザ通信デバイスから、前記アイドル状態にある間の該ユーザ通信デバイスの位置に関連する履歴データに関連するデータを受信すること；及びセル選択／再選択パラメータデータを提供することを含む、方法。
【請求項２５】
セルラー通信ネットワークにおいてネットワーク通信デバイスによって実行される方法であって、アクティブ状態及びアイドル状態を有するユーザ通信デバイスが前記ネットワークのセルの前記ネットワーク通信デバイスを通じて通信し、該方法は、前記ネットワーク通信デバイスが：前記アクティブ状態にあるユーザ通信デバイスから、前記アイドル状態にある間の該ユーザ通信デバイスの位置に関連する履歴データに関連するデータを受信すること；及び前記アクティブ状態にあるときにセル選択／再選択パラメータデータを提供することを含む、方法。
【請求項２６】
前記ネットワーク通信デバイスは、前記ユーザ通信デバイスと同じセル内にいる任意の該ユーザ通信デバイスが同じセル選択／再選択パラメータデータを受信するように、前記セル選択／再選択パラメータデータを提供する、請求項２４又は２５に記載の方法。
【請求項２７】
前記ネットワーク通信デバイスは、前記セル選択／再選択パラメータデータを提供する際に、同じセル内の他のユーザ通信デバイスからのデータを考慮する、請求項２４、２５又は２６に記載の方法。
【請求項２８】
前記ネットワーク通信デバイスは、セル間又はトラッキングエリア間のピンポン現象を指示する前記履歴データに関連するデータに応答して、変更されたセル選択／再選択パラメータデータを提供する、請求項２４〜２７のいずれか一項に記載の方法。
【請求項２９】
前記ネットワーク通信デバイスは、前記アイドル状態にある間に前記ユーザ通信デバイスが位置していたセルに関連する履歴データを受信する、請求項２４〜２８のいずれか一項に記載の方法。
【請求項３０】
前記ネットワーク通信デバイスは、ユーザ通信デバイスに前記履歴データに関連するデータを提供するように要求する、請求項２４〜２９のいずれか一項に記載の方法。
【請求項３１】
セルラー通信ネットワークにおいて用いるためのアクティブ状態及びアイドル状態を有するユーザ通信デバイスであって、前記ネットワークのセルのネットワーク通信デバイスを通じて通信し、前記アイドル状態にある間の該ユーザ通信デバイスの位置を識別する履歴データを保持する履歴データ保持機構と；前記履歴データに関連するデータをネットワーク通信デバイスに提供する報告機構とを備える、デバイス。
【請求項３２】
セルラー通信ネットワークにおいて用いるためのアクティブ状態及びアイドル状態を有するユーザ通信デバイスであって、前記ネットワークのセルのネットワーク通信デバイスを通じて通信し、前記アイドル状態にある間の該ユーザ通信デバイスの位置を識別する履歴データを保持する履歴データ保持機構と；前記アクティブ状態にあるときの前記履歴データに関連するデータをネットワーク通信デバイスに提供する報告機構とを備える、デバイス。
【請求項３３】
前記履歴データ保持機構は、前記ユーザ通信デバイスが位置していたセルに関連する履歴データを保持するように動作することができる、請求項３１又は３２に記載のデバイス。
【請求項３４】
前記履歴データ保持機構は、前記ユーザ通信デバイスが位置していた直前のｎ個のセルに関連する履歴データを保持するように動作することができる、請求項３３に記載のデバイス。
【請求項３５】
前記履歴データは、セル識別データと、前記ユーザ通信デバイスが前記セル内に位置していた時間を識別するデータとを含む、請求項３１〜３４のいずれか一項に記載のデバイス。
【請求項３６】
前記履歴データはトラッキングエリア識別データを含む、請求項３１〜３５のいずれか一項に記載のデバイス。
【請求項３７】
前記履歴データは、ＬＴＥ内周波数内セル選択／再選択に関連する履歴データを含む、請求項３１〜３６のいずれか一項に記載のデバイス。
【請求項３８】
前記履歴データは、ＬＴＥ内周波数間セル選択／再選択に関連する履歴データを含む、請求項３１〜３７のいずれか一項に記載のデバイス。
【請求項３９】
前記履歴データは、ＲＡＴ間セル選択／再選択に関連する履歴データを含む、請求項３１〜３８のいずれか一項に記載のデバイス。
【請求項４０】
前記履歴データは周波数情報を含む、請求項３１〜３９のいずれか一項に記載のデバイス。
【請求項４１】
前記履歴データはＲＡＴ及び周波数情報を含む、請求項３９に記載のデバイス。
【請求項４２】
前記報告機構は前記データの提供を開始するように動作することができる、請求項３１〜４１のいずれか一項に記載のデバイス。
【請求項４３】
前記報告機構は、前記アクティブ状態に入ると、前記データを提供するように動作することができる、請求項４２に記載のデバイス。
【請求項４４】
前記報告機構は、ＲＲＣ初期直接転送において、又はアイドルからアクティブへの移行に関連する任意の他のＲＲＣメッセージにおいて、前記データを提供するように動作することができる、請求項４３に記載のデバイス。
【請求項４５】
前記報告機構は、セル間及びトラッキングエリア間のうちの少なくとも一方におけるピンポン現象の指示を検出するのに応答して、前記履歴データに関連するデータの提供を開始するように動作することができる、請求項４２、４３又は４４に記載のデバイス。
【請求項４６】
前記報告機構は、ネットワーク通信デバイスからの要求に応答して、前記履歴データに関連するデータの提供を開始するように動作することができる、請求項３１〜４５のいずれか一項に記載のデバイス。
【請求項４７】
前記報告機構は、前記データを提供する前に確認を実行するように動作することができる、請求項４２〜４６のいずれか一項に記載のデバイス。
【請求項４８】
前記報告機構は、前記データを提供する前に、高速移動状態であるか否かを判断するように動作することができ、高速移動状態である場合には前記データを提供しない、請求項４２〜４６のいずれか一項に記載のデバイス。
【請求項４９】
前記報告機構は、前記データを提供する前に、前記報告機構が存在するセルのトラッキングエリアが、前記報告機構が存在していた直前のセルのトラッキングエリアと異なるか否かを確認するように動作することができる、請求項４２〜４８のいずれか一項に記載のデバイス。
【請求項５０】
前記報告機構は、前記報告機構が存在するセルの前記トラッキングエリアが、前記報告機構が存在していた直前のセルのトラッキングエリアと異なる場合にのみ、前記データを提供するように動作することができる、請求項４９に記載のデバイス。
【請求項５１】
セル間のピンポン現象を指示する前記履歴データに関連するデータを提供するのに応答して、ネットワークデバイスから新たなセル選択／再選択パラメータを受信するように動作することができるセル選択機構をさらに備える、請求項３１〜５０のいずれか一項に記載のデバイス。
【請求項５２】
セルラー通信ネットワークにおいて用いるためのネットワーク通信デバイスであって、アクティブ状態及びアイドル状態を有するユーザ通信デバイスが、前記ネットワークのセルの該ネットワーク通信デバイスを通じて通信し、該ネットワーク通信デバイスは：ユーザ通信デバイスから、前記アイドル状態にある間の前記ユーザ通信デバイスの位置に関連する履歴データに関連するデータを受信する受信機構と；新たなセル選択／再選択パラメータデータを提供する提供機構とを備える、デバイス。
【請求項５３】
セルラー通信ネットワークにおいて用いるためのネットワーク通信デバイスであって、アクティブ状態及びアイドル状態を有するユーザ通信デバイスが、前記ネットワークのセルの該ネットワーク通信デバイスを通じて通信し、該ネットワーク通信デバイスは：ユーザ通信デバイスから、前記ユーザ通信デバイスの位置に関連する履歴データに関連するデータを受信する受信機構と；前記履歴データに関連するデータに従ってセル選択／再選択パラメータデータを提供する提供機構とを備える、デバイス。
【請求項５４】
前記提供機構は、前記ユーザ通信デバイスと同じセル内の任意の該ユーザ通信デバイスが同じセル選択／再選択パラメータデータを受信するように、前記セル選択／再選択パラメータデータを提供するように動作することができる、請求項５２又は５３に記載のデバイス。
【請求項５５】
前記提供機構は、前記セル選択／再選択パラメータデータを提供する際に、同じセル内の他のユーザ通信デバイスからのデータを考慮するように動作することができる、請求項５２、５３又は５４に記載の方法。
【請求項５６】
前記提供機構は、ピンポン現象を指示する前記履歴データに関連するデータに応答して、前記ユーザ通信デバイスに変更されたセル選択／再選択パラメータデータを提供するように動作することができる、請求項５２、５３、５４又は５５に記載のデバイス。
【請求項５７】
前記受信機構は、前記ユーザ通信デバイスが位置していたセルに関連する履歴データを受信するように動作することができる、請求項５２〜５６のいずれか一項に記載のデバイス。
【請求項５８】
前記ネットワーク通信デバイスは、ユーザ通信デバイスに、前記履歴データに関連するデータを提供するように要求する、請求項５２〜５７のいずれか一項に記載のデバイス。
【請求項５９】
セルラー通信ネットワークにおいて用いるためのアクティブ状態及びアイドル状態を有するユーザ通信デバイスであって、前記ネットワークのセルのネットワーク通信デバイスを通じて通信し、前記アイドル状態にある間の該ユーザ通信デバイスのセル位置を識別する履歴データを保持する履歴データ保持手段と；前記履歴データに関連するデータをネットワーク通信デバイスに提供する報告手段とを備える、デバイス。
【請求項６０】
前記報告手段は、前記ユーザ通信デバイスがアクティブ状態にあるときに、前記ネットワーク通信デバイスに報告するように動作することができる、請求項５９に記載のデバイス。
【請求項６１】
セルラー通信ネットワークにおいて用いるためのネットワーク通信デバイスであって、アクティブ状態及びアイドル状態を有するユーザ通信デバイスが前記ネットワークのセルの該ネットワーク通信デバイスを通じて通信し、該ネットワーク通信デバイスは：ユーザ通信デバイスから、前記アイドル状態にある間の前記ユーザ通信デバイスのセル位置に関連する履歴データに関連するデータを受信する受信手段と；前記ユーザ通信デバイスにセル選択／再選択パラメータデータを提供する提供手段とを備える、デバイス。
【請求項６２】
前記提供手段は、前記履歴データに関連するデータに従って、前記ユーザ通信デバイスにセル選択／再選択パラメータデータを提供するように動作することができる、請求項６１に記載のネットワーク通信デバイス。
【請求項６３】
セルラー通信ネットワークにおいてアクティブ状態及びアイドル状態を有するユーザ通信デバイスによって実行される方法であって、前記ユーザ通信デバイスは前記ネットワークのセルのネットワーク通信デバイスを通じて、概ね先に添付の図面を参照して説明されたように、且つ添付の図面において例示されるように通信する、セルラー通信ネットワークにおいてアクティブ状態及びアイドル状態を有するユーザ通信デバイスによって実行される方法。
【請求項６４】
セルラー通信ネットワークにおいてネットワーク通信デバイスによって実行される方法であって、アクティブ状態及びアイドル状態を有するユーザ通信デバイスが、前記ネットワークのセルの前記ネットワーク通信デバイスを通じて、実質的に先に添付の図面を参照して説明されたように、且つ／又は添付の図面において例示されたように通信する、方法。
【請求項６５】
セルラー通信ネットワークにおいて用いるための、アクティブ状態及びアイドル状態を有するユーザ通信デバイスであって、前記ネットワークのセルのネットワーク通信デバイスを通じて、実質的に先に添付の図面を参照して説明されたように、且つ／又は添付の図面において例示されたように通信する、デバイス。
【請求項６６】
セルラー通信ネットワークにおいて用いるためのネットワーク通信デバイスであって、アクティブ状態及びアイドル状態を有するユーザ通信デバイスが、前記ネットワークのセルの該ネットワーク通信デバイスを通じて通信し、実質的に先に添付の図面を参照して説明されたように、且つ／又は添付の図面において例示されたように通信する、デバイス。
【請求項６７】
請求項１〜３０、６３又は６４のいずれか一項に記載の方法を実行するようにプロセッサをプログラムするためのプログラム命令を含むコンピュータプログラム製品。
【請求項６８】
前記製品は、コンピュータプログラム、コンピュータ読取り可能記憶媒体、信号のうちの少なくとも１つを含む、請求項６７に記載のコンピュータプログラム製品。
【発明の詳細な説明】
【技術分野】
【０００１】
本発明は、移動通信ネットワーク、限定はしないが、特に３ＧＰＰ標準規格、又はその等価物若しくは派生物に従って動作するネットワークに関する。
【背景技術】
【０００２】
移動通信ネットワークによって、ユーザ装置（ＵＥ）のユーザは、複数の基地局（ｅＮｏｄｅＢ、ｅＮＢ）のうちの１つ及びコアネットワーク７を通じて、他の同じようなユーザと通信できるようになる。各基地局はネットワークの複数のセルを画定する。アクティブ状態において、ＵＥはネットワークに登録され、基地局とのＲＲＣ（無線資源制御）を有し、ネットワークはＵＥがどのセルに属するかがわかり、ＵＥとの間でデータを送受信できるようになる。ＬＴＥでは、アクティブ状態において、ハンドオーバ手順によって、ＵＥはＬＴＥ内システム（周波数内及び周波数間）内で、且つ他のＲＡＴＳ（無線アクセス技術）に向かって動きながら、サービスを継続できるようになる。セル間の境界領域又はその近くに位置するＵＥは、セル間を行き来する場合があり（「ピンポン現象」）、結果として、異なる基地局への再接続要求を過剰に生成する場合がある。
【０００３】
また、ＵＥは電力節約又はアイドル状態も有し、その状態では、典型的には、ＵＥはデータの送受信を行なわず、ＵＥについてのコンテキストは基地局によって格納されない。アイドル状態では、ＵＥの位置は、基地局セルのクラスタ又はグループを含むトラッキングエリア（ＴＡ）単位でしかわからない（３ＧＰＰにおけるＭＭＥ（移動管理エンティティ）がわかっている）。
【０００４】
アイドル状態にあるとき、ＵＥはＢＣＨ（報知チャネル）において報知されるパラメータに従ってセルを選択及び再選択し、基地局はＵＥによって行なわれるセル選択／再選択には気が付かない。
【０００５】
セル選択／再選択パラメータの設定が不適切であると、ＵＥはセル間でピンポン現象を引き起こす場合があり、シグナリング、処理及び資源利用のいずれの観点からも有害である場合がある。
【０００６】
たとえば、セル選択／再選択パラメータが適切に設定されない場合には、ＵＥがアクティブ状態に入った直後に、ハンドオーバ手順が実行される場合がある。ＵＥがトラッキングエリア境界に位置し、且つ新たなトラッキングエリアが、ＵＥが登録されたＴＡのリスト内にない場合には、トラッキングエリア更新も実行される場合がある。
【０００７】
さらに、アイドル状態又はモードにおけるピンポン現象によって、
・周波数間／ＲＡＴ内セル選択／再選択の場合に特に、セル再選択中にページングメッセージが失われる場合があり、
・周波数間／ＲＡＴ内測定を繰り返すために、ＵＥ内のバッテリ消費が増加する場合があり、
・ピンポン現象の結果として、セル選択手順が実行されることになる場合には、サービスの中断が生じる場合がある。
【発明の概要】
【０００８】
一態様によれば、本発明は、セルラー通信ネットワークのユーザ通信デバイスによって実行される方法を提供し、そのネットワークでは、ユーザ通信デバイスがネットワークのセルのネットワーク通信デバイスを通じて通信し、その方法は、ユーザ通信デバイスが：アイドル状態においてセルラー通信ネットワークの位置（セル及び／又はトラッキングエリア）に関連する履歴データを保持し；履歴データに関連するデータをネットワーク通信デバイスに提供することを含む。
【０００９】
その履歴データは、ユーザ通信デバイスが存在していた（待ち受けていた）直前のｎ個のセルを識別することができる。ただし、ｎは、たとえば、５とすることができる。履歴データは、ユーザ通信デバイスが各セル内に存在していた時間も識別することができる。
【００１０】
履歴データを用いて、セル間のピンポン現象、及びトラッキングエリア（ＴＡ）間のピンポン現象のうちの少なくとも一方を検出することができる。
【００１１】
ユーザ通信デバイスは、セル間又はＴＡ間ピンポン現象の検出に応答して、任意の適切な時点、たとえば、アクティブ状態に入った時点、又はＲＲＣ初期直接転送、又はアイドル状態からアクティブ状態への移行手順に関連する任意の他のＲＲＣメッセージのうちの少なくとも１つにおいて、履歴データをネットワーク通信デバイスに提供する場合がある。
【００１２】
その目的がトラッキングエリア間のみのピンポン現象を識別することである場合には、セル履歴データを提供する前に、ユーザ通信デバイスは、そのユーザ通信デバイスが存在するセルのトラッキングエリアが、そのユーザ通信デバイスが存在していた直前のセルのトラッキングエリアと異なるか否かを確認し、トラッキングエリアが異なる場合にのみ、履歴データをネットワーク通信デバイスに提供することができ、それにより、セル選択／再選択パラメータを調整することによってＴＡ間のピンポン現象に対応できるようにする。
【００１３】
セル履歴データを提供する前に、ユーザ通信デバイスは、高速移動状態（それは、たとえば、ユーザが動いている車両内にいるときに生じる場合がある）にあるか否を確認することができ、高速移動状態でない場合にのみ履歴データを送信することができ、それにより、セル選択／再選択パラメータの設定が不適切であることに起因するピンポン現象と、ユーザ通信デバイスの高速移動によって引き起こされるピンポン現象とを区別できるようにする。
【００１４】
別の可能性として、又はそれ加えて、アクティブ状態において、ユーザ通信デバイスは、ネットワーク通信デバイスからの要求に応答して、セル履歴データを提供することができる。これにより、ネットワーク通信デバイスは、必要とされるシグナリングの量及び収集されるデータの量を制御できるようになる。
【００１５】
本発明の別の態様は、セルラー通信ネットワークのネットワーク通信デバイスによって実行される方法を提供し、そのネットワークでは、ユーザ通信デバイスがネットワークのセルのネットワーク通信デバイスを通じて通信し、その方法は、ネットワーク通信デバイスが：ユーザ通信デバイスから、アイドルモードにおけるセルラー通信ネットワークの位置に関連する履歴データに関連するセルデータを受信することを含む。これにより、セル間及びＴＡ間のうちの少なくとも一方においてピンポン現象が生じる可能性を小さくするために、ＢＣＨにおいて影響を受けたセルに提供されるセル選択／再選択パラメータを確認して、必要に応じて調整できるようになる。
【００１６】
一実施形態において、アクティブ状態及びアイドル状態を有するユーザ通信デバイスがセルラー通信ネットワークにおいて動作し、そのネットワークでは、ユーザ通信デバイスがネットワークのセルのネットワーク通信デバイスを通じて通信する。アイドル状態にある間にユーザ通信デバイスが存在していたセル及びＴＡを識別する履歴データが保持される。この履歴データは、影響を受けたセル内のセル選択／再選択パラメータを調整できるようにするために、ユーザ通信デバイスによって、又はネットワーク通信デバイスによって用いられる。
【００１７】
ユーザ通信デバイスは、履歴データに関連するデータの提供を開始することができ、その場合に、ユーザ通信デバイスは、実際の履歴データ、又はセル間及び／又はＴＡ間のピンポン現象の存在を指示するデータを提供することができる。別の可能性として、たとえば、通信ネットワーク要求メッセージへの応答として、ネットワーク通信デバイスが、ユーザ通信デバイスに、その履歴データを提供するように要求することができる。
【００１８】
本発明は、たとえば、
・ＬＴＥ内周波数内セル選択／再選択
・ＬＴＥ内周波数間セル選択／再選択
・システム間セル選択／再選択
に適用される場合がある。
【００１９】
また、本発明は、開示される全ての方法の場合に、対応するユーザ通信デバイス又はネットワーク通信デバイスにおいて実行するための対応するコンピュータプログラム又はコンピュータプログラム製品も提供する。また、本発明は、それらの方法を実施するように構成されるか、又は動作することができるユーザ通信デバイス及びネットワーク通信デバイス、及びそれらの構成要素、並びにこれらのデバイス及び構成要素を更新する方法も提供する。
【００２０】
ここで、本発明の実施形態が、一例として、添付の図面を参照しながら説明されるであろう。
【図面の簡単な説明】
【００２１】
【図１】本発明の実施形態が適用される場合があるセルラー通信システムの概略図である。
【図２】セルラー通信システムのセルとトラッキングエリアとの関係を極めて図式的に示す図である。
【図３】ユーザ通信デバイスの機能のうちのいくつかを示す機能ブロック図である。
【図４】ネットワーク通信デバイスの機能のうちのいくつかを示す機能ブロック図である。
【図５】本発明を具現する方法の第１の例を示す図である。
【図６】本発明を具現する方法の第２の例を示す図である。
【図７】本発明を具現する方法の第３の例を示す図である。
【図８Ａ】現在提案されている３ＧＰＰ  ＬＴＥ標準規格において本発明が実施される場合があるオプション１を示す図である。
【図８Ｂ】現在提案されている３ＧＰＰ  ＬＴＥ標準規格において本発明が実施される場合があるオプション２を示す図である。
【図８Ｃ】現在提案されている３ＧＰＰ  ＬＴＥ標準規格において本発明が実施される場合があるオプション３を示す図である。
【発明を実施するための形態】
【００２２】
概説
図面に関して一般的に、任意の機能ブロック図が、デバイス内に存在する機能を単に示すことを意図していること、そして、機能ブロック図に示される各ブロックが必ずしも個別のエンティティ、又は分離したエンティティであることを意味するものと解釈されるべきでないことは理解されたい。１つのブロックによって提供される機能は散在する場合があるか、又はデバイス全体を通じて、又はデバイスの一部の中に分散される場合がある。さらに、その機能は、適切な場合には、ハードウェア構成要素、ソフトウエア構成要素又はファームウエア構成要素、あるいはこれらの任意の組み合わせを組み込む場合がある。
【００２３】
図１は、移動（セルラー）通信システム１を概略的に示しており、そのシステムでは、移動通信ネットワークを介して通信することができる移動（セルラー）電話又は他の移動デバイスの形をとるユーザ通信デバイス（ユーザ装置（ＵＥ））３のユーザが、本明細書において基地局又はノード（Ｅ＿ＵＴＲＡＮの例では、ｅＮｏｄｅＢ又はｅＮＢ）５と呼ばれる、複数のネットワーク通信デバイスのうちの１つ及びコアネットワーク７を通じて、他のユーザ（図示せず）と通信することができる。簡単にするために、図面では、３つのＵＥ３−０、３−１及び３−２及び２つの基地局５−１及び５−２だけが示されるが、一般的には、そのシステムがさらに多くの数のデバイス及び基地局を有することは理解されよう。
【００２４】
移動（セルラー）通信システム１は、３ＧＰＰ標準規格、又はそれと同等か、若しくはそれから派生した標準規格、又は１つ又は複数の任意の他の適切なセルラー通信標準規格に従って動作することができる。
【００２５】
各基地局はネットワークの複数のセルを画定し、それらのセルはトラッキングエリア（ＴＡ）として知られるグループ又はクラスタに分けられる。図２は、２つのトラッキングエリアＴＡ１及びＴＡ２と、別のトラッキングエリアＴＡ３の一部とを極めて図式的に示しており、各トラッキングエリアは複数のセルＣから形成され、一例として、セルＣｙ及びＣｘがトラッキングエリアＴＡ２内に存在する。セル及びトラッキングエリアは図２に示される形状ではない場合があること、及び隣接するセル及び／又はトラッキングエリアは重なり合うことも、重なり合わないこともあることは理解されよう。
【００２６】
そのような移動（セルラー）通信システムのＵＥは、アクティブ及びアイドルモード又は状態を有する。アクティブ状態では、ＵＥはネットワークに登録され、基地局とのＲＲＣ（無線資源制御）を有し、ネットワークはＵＥがどのセルに属するかがわかり、ＵＥとの間でデータを送受信できるようになる。ＬＴＥでは、ハンドオーバ手順によって、ＵＥは、ＬＴＥ内システム（周波数内及び周波数間）内で、且つ他のＲＡＴＳ（無線アクセス技術）に向かって動きながら、サービスを継続できるようになる。
【００２７】
アイドル状態は電力節約アイドル状態であり、典型的には、ＵＥはデータの送受信を行なわず、ＵＥについてのコンテキストは基地局によって格納されない。むしろ、アイドル状態では、ＵＥの位置は、コアネットワークの機能だけ、たとえば、３ＧＰＰにおけるＭＭＥ（移動管理エンティティ）だけがわかっており、トラッキングエリア（たとえば、図２のＴＡ１、ＴＡ２又はＴＡ３）の分解能、すなわちトラッキングエリアの単位でしかわからない。
【００２８】
アイドル状態にあるとき、ＵＥはＢＣＨ（報知チャネル）において報知されるパラメータに従ってセルを選択及び再選択し、ＵＥがトラッキングエリア境界に位置し、且つ移動しつつあるトラッキングエリアが、ＵＥが登録されたＴＡのリスト内にない場合には、トラッキングエリア更新を実行する場合もある。
【００２９】
セル間及び／又はＴＡ間ピンポン現象の可能性を回避するか、又は少なくとも小さくするために、そのセル選択／再選択パラメータの調整が必要とされるか否かに関して判断できるようにするために、本発明を具現するＵＥは、アイドルモード又は状態にある間に存在していた（待ち受けていた）セルラー通信ネットワークのセル及びＴＡに関連する履歴データを保持し、そのような履歴データに関連するデータをネットワーク通信デバイスに提供するように構成される。
【００３０】
ＵＥ
図３は、図１に示されるＵＥ３の機能ブロック図を示す。図に示されるように、ＵＥ３は、１つ又は複数のアンテナ２３を通じて、基地局５に信号を送信し、且つ基地局５から信号を受信するように動作することができるトランシーバ回路２１を有する。ＵＥ３は、ＵＥ３及びＳＩＭ（加入者識別モジュール）の動作を制御するコントローラ２７を備える。コントローラ２７は、メモリ２９に関連付けられ、トランシーバ回路２１に、且つスピーカ２８ａ、マイクロフォン２８ｂ、ディスプレイ２８ｃ及びキーパッド２８ｄを有するユーザインターフェース２８に接続される。必ずしも図３には示されないが、ＵＥは当然、セルラー電話の通常の機能の全てを有することになり、これは、必要に応じて、ハードウエア、ソフトウエア及びファームウエアのいずれか１つ、又は任意の組み合わせによって設けられる場合がある。ソフトウエアは、メモリにプレインストールされる場合があり、且つ／又はその通信ネットワークを通じて、又はたとえば、取外し可能データ記憶デバイス２３（ＲＭＤ）からダウンロードされる場合がある。
【００３１】
コントローラ２７は、この例では、メモリ２９内に格納されるプログラム命令又はソフトウエア命令によって、ＵＥの全動作を制御するように構成される。図に示されるように、これらのソフトウエア命令は、数ある中でも、オペレーティングシステム３１、ＢＣＨによって提供されるセル選択／再選択パラメータに従ってセルを選択及び再選択できるようにするセル選択／再選択プログラム３３、及びアイドル状態にある間にＵＥが待ち受けていた、又は存在していたセルに関連するデータを基地局に報告する報告プログラム３４を含む。メモリ２９は、報告プログラム３４に関連付けられ、アイドル状態にある間にＵＥが待ち受けていた、又は存在していた直前のｎ個のセルＣｙ〜Ｃｙ−ｎと、それらのセルのトラッキングエリアと、そのＵＥが各セル内に存在していた時間ｔｙ〜ｔｙ−ｎとを識別するセル履歴データ３２ａを格納するデータ記憶機構３２も提供する。データ記憶機構３２は、直前の５個のセルに関するデータを格納するように構成することができるが、データ記憶機構３２は、それよりも少ない数、又は多くの数のセルに関するデータを格納することもできる。ＵＥは、高速移動状態にあるかを確認し、且つＴＡステータスを確認する確認プログラム３５も有する。特にピンポン現象が生じている場合に、同じセル及び／又は同じＴＡが、格納された履歴データの中に２度以上存在する場合があることは、当然理解されよう。
【００３２】
基地局
図４は、図１に示される基地局５の機能ブロック図を示す。図に示されるように、基地局３は、１つ又は複数のアンテナ４３を通じて、ＵＥ３に対して信号を送受信するトランシーバ回路４１と、コアネットワーク７に対して信号を送受信するネットワークインターフェース４４と、他の基地局５に対して信号を送受信する基地局インターフェース４５とを有する。基地局５は、基地局の動作を制御するコントローラ４７を有する。コントローラ４７はメモリ４９に関連付けられる。必ずしも図４には示されないが、基地局は当然、セルラー電話ネットワーク基地局の通常の機能の全てを有することになり、これは、必要に応じて、ハードウエア、ソフトウエア及びファームウエアのいずれか１つ、又は任意の組み合わせによって設けられる場合がある。ソフトウエアは、メモリにプレインストールされる場合があり、且つ／又はその通信ネットワークを通じて、又はたとえば、取外し可能データ記憶デバイス（ＲＭＤ）からダウンロードされる場合がある。
【００３３】
コントローラ４７は、この例では、メモリ４９内に格納されるプログラム命令又はソフトウエア命令によって、基地局の全動作を制御するように構成される。図に示されるように、これらのソフトウエア命令は、数ある中でも、オペレーティングシステム５１、ＵＥがセルを選択／再選択する際に使用するパラメータを調整できるようにするセル選択／再選択パラメータコントローラ５３、及びＵＥの報告プログラム３４によって提供される履歴データに関連するデータを受信する履歴データ受信プログラム５２を含む。
【００３４】
理解するのを容易にするために、上記の説明では、基地局５及びＵＥ３は、（履歴データ受信モジュール、セル選択パラメータコントローラ、セル選択プログラム、報告プログラム、データ記憶機構のような）複数の個別の機能要素又はモジュールを有するものとして説明される。たとえば、既存のシステムが本発明を実施するように変更されている特定のアプリケーションに対して、このようにこれらのモジュールが提供される場合があるが、他のアプリケーション、たとえば、最初から本発明の特徴を念頭において設計されたシステムでは、これらのモジュールは、オペレーティングシステム又はコード全体の中に構成することができるので、これらのモジュールは個別のエンティティとして区別することができない場合がある。
【００３５】
上記のシステムの動作時に、アイドル状態又は非アクティブ状態にあるとき、ＵＥのセル選択プログラム３３は、ＢＣＨ（報知チャネル）において報知されるパラメータに従ってセルを選択及び再選択する。
【００３６】
ＵＥがセルを再選択する度に、報告プログラム３４は、セル履歴データ３２ａを更新して、新たなセルを第ｎのセルとして追加し、ＵＥがそのセルに切り替えられた時刻を記録し、ＵＥが以前のセル内に存在した全時間を格納する。図３に示されるように、再選択されたセルのＴＡも追加される場合がある。
【００３７】
セル履歴データが既にｎ個の入力を有する場合には、報告プログラム３４は最も古い入力を除去して、待ち受けていた直前のｎ個のセル、及びセル毎に待ち受けていた時間のリストがセルＵＥによって保持されるようにする。当然、そのリスト内に、同じセルが２度以上現れる場合もある。
【００３８】
報告プログラムは、セル識別データ及び時間とともに、ＲＡＴ情報及び周波数情報も格納し、報告することもできる。
【００３９】
ＵＥは、履歴データに関連するデータを、次にアクティブ状態になった時点のセルの基地局に報告する。ＵＥの報告プログラム３４は、たとえば、アクティブ状態に入った次の時点で、又はアクティブ状態にある間のいずれかの時点で、実際の履歴データを基地局に報告することができる。別の可能性として、データトラフィック及びシグナリングを低減するために、報告プログラム３４は、履歴データを確認して、ピンポン現象検出アルゴリズムに従って履歴データ内にピンポン現象が存在するか否かを判断し、ピンポン現象が検出されたときにのみ報告することができる。この場合、報告プログラム３４は、アクティブ状態に入った次の時点で、基地局に、実際の履歴データ（基地局がピンポン現象を自ら特定できるように）を報告するか、又はピンポン現象が生じているという事実と、そのピンポン現象に関連するセル及び／又はＴＡの識別情報を報告することができる。一例として、セル履歴内の入力が、所定の時間内に２つのセル（そしてオプションでは、ピンポン現象によって影響を受けるセルが異なるＴＡに属するときにはＴＡ）を行き来する場合には、ＵＥは、ピンポン現象が生じているものと判断することができる。ＵＥの報告プログラムは、履歴データを基地局に報告する前に、ＵＥが高速移動状態にあるか（すなわち、ＵＥが非常に速く動いている、たとえば、ユーザが車両において進行しているか）否かを確認することができ、高速で移動している場合には、履歴データを報告しないものと判断する場合がある。別の可能性として、又はそれに加えて、ＵＥが既にアクティブ状態にあるときに、基地局が履歴データを要求する場合もある。
【００４０】
基地局の履歴データ受信プログラム５２が履歴データに関連するデータ（実際の履歴データ又はピンポン現象検出データ）を受信すると、セル選択パラメータコントローラ５３は、ＢＣＨにおいてＵＥに提供されるセル選択パラメータを調整する必要があるか否かを判断する。その目的を果たすために、他のＵＥからの他の測定が考慮に入れられる場合もある。受信されたデータが実際の履歴データである場合、基地局は、ピンポン現象検出アルゴリズムを用いて、ピンポン現象が生じているか否かを判断する。たとえば、受信されたデータが、ピンポン現象が生じていることを指示する場合には、基地局のセル選択パラメータコントローラ５３によって、そのＵＥに対するＢＣＨ内のセル選択パラメータが変更されるであろう。これは、事業者に警告を出し、その後、事業者が、動作及び管理（Ｏ＆Ｍ）システムを通じてセル選択パラメータを手作業で変更することによって果たすことができる。別の可能性として、或るアルゴリズムに従ってセル選択パラメータが自動的に変更される場合があり、そのアルゴリズムは実施態様の仕様による場合がある。
【００４１】
セル内のいずれのＵＥも同じセル選択／再選択パラメータデータを受信するように、基地局は一般的に、特定のＵＥに対してではなく、そのセルに対して、ＢＣＨにおいてセル選択／再選択パラメータデータを提供する。基地局は、セル選択／再選択パラメータデータを提供するときに、同じセル内の他のＵＥからの履歴又は他のデータも考慮する場合がある。
【００４２】
上記の実施形態によれば、ネットワークは、アイドルモード又は状態との関連で隣接するセル間でのセル選択／再選択が頻繁に行なわれる状況を検出し、これを補正できるようになる。これは、任意のセル選択／再選択過程中に実行される場合があり、セル選択プログラムは、たとえば、ＬＴＥ内周波数内セル選択／再選択；ＬＴＥ内周波数間セル選択／再選択；システム間セル選択／再選択を実行することができる。
【００４３】
ＬＴＥ内周波数内セル選択／再選択の場合、ＵＥは、移動中に、ＢＣＨチャネル内で報知されるセル再選択判定基準に基づいて、新たなセルを再選択するであろう。上記のデータ報告によって、セル選択／再選択パラメータが適切に設定されるように調整できるようになり、ＵＥがアクティブ状態に入った直後に、ハンドオーバ手順が実行されるのを避けることができ、ＵＥがトラッキングエリア間の境界領域に位置し、且つＵＥが移動しつつあるトラッキングエリアが、ＵＥが登録されたＴＡのリストに属さない場合に、トラッキングエリア更新を実行するのも避けることができる。さらに、セル選択／再選択パラメータの調整は、ＵＥのバッテリ消費及びページング失敗率に関して、ＵＥ及びネットワークの両方の性能を改善もする。
【００４４】
ＬＴＥ内周波数間セル選択／再選択の場合、ＵＥは、アイドル状態にある間に、ＢＣＨにおいて報知される周波数間セル再選択判定基準に従って、周波数間セルに関する測定を行なう。シグナリング、処理及び資源最適化に対応するために、周波数間セル再選択のためのセル選択／再選択パラメータが設定される。さらに、セル選択／再選択パラメータの調整は、ＵＥのバッテリ消費及びページング失敗率に関して、ＵＥ及びネットワークの両方の性能を改善する。上記のデータ報告によって、セル選択／再選択パラメータが適切に設定されるように調整できるようになり、２つの周波数間セルが重なり合うときに、（アクティブ状態に入った直後に）ＵＥが周波数品質不良を検出すると必要とされ、回避されなければ周波数間ハンドオーバを起動する恐れがある、周波数間測定と、その後に起こり得るＧＡＰ起動とを回避することができ、ＵＥがトラッキングエリア間の境界領域に位置し、新しいトラッキングエリアが、ＵＥが登録されたＴＡのリストに属さない場合のトラッキングエリア更新も避けることができる。また、上記の履歴データ報告によれば、他のサービスのために他の周波数を予約できるように、ＵＥの大部分が１つの周波数からネットワークにアクセスすることを望む場合がある事業者方針を反映するように、セル選択／再選択パラメータを設定できるようになる。
【００４５】
ＲＡＴ内セル選択／再選択の場合、アイドル状態にある間に、ＵＥは、ＢＣＨにおいて報知されるシステム間セル再選択判定基準に従って、ＲＡＴ間セルに関する測定を行なうであろう。シグナリング、処理及び資源最適化に対応するために、ＲＡＴ間セル再選択のためのセル選択／再選択パラメータが設定される。さらに、セル選択／再選択パラメータの調整は、ＵＥのバッテリ消費及びページング失敗率に関して、ＵＥ及びネットワークの両方の性能を改善する。上記のデータ報告によって、セル選択／再選択パラメータが適切に設定されるように調整できるようになり、２つのシステム間セルが重なり合うときに、ＵＥがアクティブ状態に入った直後にＵＥが周波数品質不良を検出すると必要とされる、システム間測定の必要性と、その後に起こり得るＧＡＰ起動の必要性とを回避することができ、それにより、おそらくシステム間ハンドオーバの起動を回避することができ、ＵＥがトラッキングエリア／ルーティングエリア境界に位置する場合であっても、おそらくトラッキングエリア更新を回避することができる。また、上記の履歴データ報告によれば、ネットワークにアクセスするＵＥの大部分が、別のＲＡＴではなく、或る特定のＲＡＴを使用することを望む場合がある事業者方針を反映するように、セル選択／再選択パラメータを設定できるようになる。この場合、ＵＥは、セルＩＤ及び時間とともに、ＲＡＴ及び周波数情報も報告する場合がある。
【００４６】
図５〜図７は、基地局への履歴データの報告を具現する方法を例示する図を示す。図５〜図７では、基地局５はＳＯＮ機能６０、ＣＰ機能６１、並びにＨＯ及びセル選択パラメータを制御し、図４のセル選択パラメータコントローラ５３を提供するパラメータコントローラを有するように示される。図５〜図７において、ＣＰ６１は、図４の履歴データ受信プログラムを提供する。
【００４７】
図５は、ＵＥ３が、２つの隣接するトラッキングエリアＴＡ１及びＴＡ２の３つの隣接するセルＣ１〜Ｃ３を通り過ぎることを示す。図５に示される例では、履歴データの報告はＵＥ３によって開始される。したがって、図５に示されるように、ＵＥは、ネットワークにアクセスし、アクティブ状態に入るときに、履歴データ（各セルにおいて費やされた時間とともに、過去に選択／再選択されたセルの識別情報）を報告する。図示される例では、ＵＥは、ＲＲＣ初期直接転送においてＣＰ６１に履歴データを報告し、将来のピンポン現象を回避するためにセル選択／再選択パラメータに必要とされる任意の変更が、システム情報において、ＣＰによってＵＥに提供される（システム情報は、セル選択パラメータ、Ｑｑｕａｌｍｉｎ、Ｓｉｎｔｒａｓｅａｒｃｈ、Ｓｉｎｔｅｒｓｅａｒｃｈ、ＳｉｎｔｅｒＲａｔを含む）。
【００４８】
図６は、ＵＥ３が、トラッキングエリアＴＡ１の隣接するセルＣ１とＣ２との間を通り過ぎることを示す。履歴データの報告は同じくＵＥ３によって開始される。しかしながら、この例では、ＵＥは、ＢＣＨチャネルにおいて基地局（ｅＮＢ）によって送信されるパラメータ（たとえば、ピンポンタイマ）に従って履歴データにおいてピンポン現象を検出し、隣接するセル間のピンポン現象を検出した場合には、アクティブ状態に入ると、関係しているセルを識別する履歴データ報告を基地局に送信するように構成される。
【００４９】
図５及び図６のＵＥによって開始される例では、ピンポン現象検出の目的に応じて、ＵＥの報告プログラムは、基地局に報告を送信する前に、いくつかの条件を評価する場合がある。したがって、たとえば、セル選択／再選択履歴を報告する目的がＴＡ間のピンポン現象を検出するだけである場合には、ＵＥの確認プログラム３５は、ＵＥが待ち受けたセルのＴＡが直前のセルのＴＡと異なるか否かを確認し、異なる場合にのみ報告を送信するであろう。また、ピンポン現象はＵＥの高速移動（たとえば、ユーザが動いている車両内にいる場合）によって引き起こされる場合もあるので、ＵＥの確認プログラム３５は、ＵＥが高速移動状態であるか否かを確認し、ＵＥが高速移動状態でない場合にのみ報告を送信することができ、それにより、ピンポン現象がセル選択／再選択パラメータに起因しないときに、セル選択／再選択パラメータが調整される可能性を回避する。
【００５０】
図７は、ＵＥ３が、トラッキングエリアＴＡ１の隣接するセルＣ１とＣ２との間を通り過ぎることを示す。しかしながら、この例では、履歴データ報告はネットワークによって開始される。したがって、この例では、ＵＥがアクティブ状態にある（それにより、基地局が通信可能である）とき、ＵＥは、基地局（ｅＮＢ）によって要求されるときにいつでも、セル選択／再選択履歴データを報告する。基地局によって開始することは、基地局が、収集されるデータの量、及びそれゆえ必要とされるシグナリングの量を制御するという利点を有する。
【００５１】
変更形態及び代替形態
詳細な実施形態が上記で説明されてきた。当業者には理解されるように、該実施形態において具現される本発明から依然として利益を享受しながら、上記の実施形態に対する複数の変更形態及び代替形態を実施できる。例示にすぎないが、ここで、いくつかのこれらの代替形態及び変更形態を説明する。
【００５２】
上記の実施形態では、ＵＥはセルラー電話である。他の通信ノード又はデバイスは、たとえば、携帯情報端末、ラップトップコンピュータ、ウエブブラウザなどのユーザデバイスを含む場合がある。
【００５３】
上記のように、基地局はセル選択／再選択パラメータデータを提供するが、このデータは１つ又は複数の別のネットワークデバイスによって提供される場合もある。
【００５４】
本発明は、通信デバイスが異なるセル又はエリア間を移動する任意の通信システムにおいて実施することができる。
【００５５】
上記の実施形態では、複数のソフトウエアモジュールが説明された。当業者には理解されるように、それらのソフトウエアモジュールはコンパイルされた形で又はコンパイルされない形で与えられる場合があり、コンピュータネットワーク上の信号として又は記録媒体において、基地局に又はＵＥに供給される場合がある。さらに、このソフトウエアの一部又は全てによって実行される機能は、１つ又は複数の専用のハードウエア回路を用いて実行されてもよい。しかしながら、それらの機能を更新するために、基地局５及びＵＥ３を更新することを容易にするので、ソフトウエアモジュールを用いることが好ましい。
【００５６】
当業者には種々の他の変更形態が明らかであり、ここでは、さらに詳しくは説明されない。
【００５７】
３ＧＰＰ用語の用語集
ＵＥ  −  ユーザ装置  −  移動通信デバイス
ＲＡＴ  −  無線アクセス技術
ＲＡＮ  −  無線アクセスネットワーク
ＨＯ  −  ハンドオーバ
ＦＡＣＨ  −  フォワードアクセスチャネル
ｅＮｏｄｅＢ、ｅＮＢ  −  Ｅ−ＵＴＲＡＮノードＢ（発展型ノードＢ）
ＬＴＥ  −  （ＵＴＲＡＮの）ロングタームエボリューション
ＵＴＲＡＮ  −  ＵＭＴＳ地上波無線アクセスネットワーク
ＵＭＴＳ  −  ユニバーサル移動通信システム
ＭＭＥ  −  移動管理エンティティ
ＴＡ  −  トラッキングエリア
ＢＣＨ  −  報知チャネル
ＧＡＰ  −  一般的なアクセスプロファイル
ＣＰ−コントロールプレーン
ＲＲＣ  −  無線資源制御
ＳＯＮ  −  単一操作ノード
ＲＲＭ  −  無線資源管理
Ｑｑａｌｍｉｎ  −  セル内で要求される最低限の品質レベル
【００５８】
以下は、本発明を現在提案されている３ＧＰＰ  ＬＴＥ標準規格において実施することができる方法の詳細な説明である。種々の特徴が不可欠であるか又は必要であるものとして説明されるが、これは、たとえば、その標準規格によって課せられる他の要件に起因して、提案されている３ＧＰＰ  ＬＴＥ標準規格の場合にのみ当てはまることがある。それゆえ、ここで述べることは、本発明を限定するものとは決して解釈されるべきではない。
【００５９】
序論
これまで、ピンポン現象検出問題が、ＵＥがアクティブモードにある場合に解析され、解決されてきた。しかしながら、アイドルモードのＵＥの場合であっても、ピンポン現象によって、シグナリング、処理及び資源利用に関して非効率的なことが生じる可能性がある。また、アイドルモードにおけるピンポン現象は、ＵＥバッテリ消費及びページング失敗率に関して、ＵＥ及びネットワークの両方の性能に影響を及ぼす場合がある。
・本稿の目的は、以下のシナリオ中にｅＮＢがピンポン現象を検出できるようにする仕組みを検討することである。
・ＬＴＥ内周波数内セル選択／再選択
・ＬＴＥ内周波数間セル選択／再選択
・システム間セル再選択
【００６０】
主に、本提案は、ＵＥがネットワークに接続することを試みるか、又はｅＮＢによってそうするように要求されるときにはいつでも、ＵＥが、待ち受けていた過去のセルのリストを報告することにある。
【００６１】
過去の選択されたセルのリストを如何に使用するかはｅＮＢの実施態様に委ねられる。
【００６２】
検討
ＬＴＥにおいて、ＵＥは、アクティブ状態、アイドル状態のいずれかをとることができる。アクティブ状態にあるとき、ハンドオーバ手順によって、ＵＥは、ＬＴＥ内システム（周波数内及び周波数間）内で、且つ他のＲＡＴに向かって動きながら、サービスを継続できるようになる。
【００６３】
ＵＥがアクティブ状態にあるときにピンポン現象を検出するために、ＲＡＮ３において複数の仕組みが検討され、合意に達した。一旦、ピンポン現象が検出された場合に、ＨＯパラメータを如何に最適化するかは、実施態様に委ねられる。
【００６４】
アイドル状態では、ＵＥは、ＢＣＨにおいて報知されるパラメータに従ってセルを選択及び再選択する。
【００６５】
セル選択／再選択パラメータの設定が良くないと、ＵＥはセル間でピンポン現象を引き起こす場合があり、シグナリング、処理及び資源利用のいずれの観点からも有害である場合がある。
【００６６】
さらに、アイドルモードにおけるピンポン現象によって、
・特に、周波数間／ＲＡＴ間セル選択／再選択の場合に、セル再選択中にページングメッセージが失われる場合があり、
・周波数間／ＲＡＴ間測定を繰り返すために、ＵＥ内のバッテリ消費が増加する場合があり、
・ピンポン現象によって、セル選択手順が実行されることになる場合には、サービスの中断が生じる場合がある。
【００６７】
結果として、これらのパラメータが適切に設定されているか否かをネットワークが理解できるようにすることが重要である。
【００６８】
ＵＭＴＳでは、セル選択／再選択手順は接続されたモード（たとえば、セルＦＡＣＨ）においても生じるので、ネットワークは、ＵＥが再選択するセルをモニタする機会がある。
【００６９】
ＬＴＥにおいて、アイドル状態にあるときに、ｅＮＢは、ＵＥが過去に選択したセル、及びセル選択／再選択中に任意のピンポン現象が生じるか否か認識しない。
【００７０】
以下の段落は、セル再選択中にピンポン現象を検出する方法を提案する。その仕組みは、以下のシナリオに当てはまる。
・ＬＴＥ内周波数内セル選択／再選択
・ＬＴＥ内周波数間セル選択／再選択
・システム間セル選択／再選択
【００７１】
４．１．ＬＴＥ内周波数内セル選択／再選択
ＵＥがアイドルモードにあるとき、ＵＥ位置は、トラッキングエリア単位のレベルにおいてわかる。ＵＥは、移動中に、ＢＣＨチャネルにおいて報知されるセル再選択判定基準に基づいて新たなセルを再選択するであろう。
【００７２】
セル選択／再選択パラメータが適切に設定されない場合には、ＵＥがアクティブ状態に入った直後に、ハンドオーバ手順が実行されるということが起こり得る。さらに、ＵＥがトラッキングエリア境界に位置し、新たなトラッキングエリアが、ＵＥが登録されたＴＡのリストに属さない場合には、トラッキングエリア更新が実行される場合もある。
【００７３】
上記のセクションにおいて報告されるような他の性能問題も生じる場合がある。その提案は主に、各セルにおいて費やされた時間とともに、ＵＥが待ち受けていた直前のｘ個のセルをＵＥが追跡することにある。
【００７４】
その後、ＵＥは、アクティブ状態に入るとき（ＵＥによって開始される場合）、又はｅＮＢによって要求されるとき（ｅＮＢによって開始される場合）、ｅＮＢにこのリストを送信するであろう。報告方法に関するさらに細かい事柄については、段落２．４を参照されたい。
【００７５】
４．２．ＬＴＥ内周波数間セル選択／再選択
ＵＥがアイドルモードにあるとき、ＢＣＨチャネルにおいて報知される周波数間セル再選択判定基準に従って、周波数間セルについての測定を行なうであろう。
【００７６】
シグナリング、処理及び資源最適化に対応するために、周波数間セル再選択のためのセル選択／再選択パラメータが設定される。たとえば、２つの周波数間セルが重なり合うときに、パラメータが適切に設定されない場合には、アクティブ状態に入るときに、ＵＥによって周波数品質不良が検出されると、周波数間測定と、その後におそらくＧＡＰ起動が必要とされるということが起こり得る。
【００７７】
結果として、ＵＥがトラッキングエリア境界に位置し、新たなトラッキングエリアが、ＵＥが登録されたＴＡのリストに属さない場合には、トラッキングエリア更新とともに、周波数間ハンドオーバが起動される場合がある。
【００７８】
さらに、セル選択／再選択パラメータの設定は、ＵＥの大部分が１つの周波数からネットワークにアクセスすることを望み、他のサービスのために他の周波数を予約する場合がある事業者方針を反映させなければならない。
【００７９】
さらに、ピンポン現象が生じる場合には、以前の章において報告されるような他の性能問題が生じる場合がある。
【００８０】
ｅＮＢが周波数間セル再選択中にピンポン現象を検出するために、ＵＥは、アクティブ状態に入るとき（ＵＥによって開始される場合）、又はｅＮＢによって要求されるとき（ネットワークによって開始される場合）、費やされた時間とともに、過去に選択されたセルのリストをｅＮＢに送信すべきである。報告方法に関するさらに細かい事柄については、段落２．４を参照されたい。
【００８１】
ＵＥは、セルＩＤ及び時間とともに、周波数情報も報告する場合がある。
【００８２】
４．３．ＲＡＴ間セル選択／再選択
ＵＥがアイドルモードにあるとき、ＢＣＨチャネルにおいて報知されるシステム間セル再選択判定基準に従って、ＲＡＴ間セルについての測定を行なうであろう。
【００８３】
たとえば、２つのシステム間セルが重なり合うときに、パラメータが適切に設定されない場合には、アクティブ状態に入るとすぐに、ＵＥによって周波数品質不良が検出され、システム間測定と、その後におそらくＧＡＰ起動が必要とされるということが起こり得る。
【００８４】
結果として、ＵＥがトラッキングエリア境界に位置し、新たなトラッキングエリアが、ＵＥが登録されたＴＡのリストに属さない場合には、トラッキングエリア更新とともに、システム間ハンドオーバが起動される場合がある。
【００８５】
さらに、設定は、ＵＥの大部分が他のＲＡＴではなく、或る特定のＲＡＴを用いてネットワークにアクセスすることを望む場合がある事業者方針を反映させなければならない。
【００８６】
さらに、ピンポン現象が生じる場合には、以前の章において報告されるような他の性能問題が生じる場合がある。
【００８７】
ｅＮＢがＩＲＡＴセル再選択中にピンポン現象を検出するために、ＵＥは、アクティブ状態に入るとき（ＵＥによって開始される場合）、又はｅＮＢによって要求されるとき（ネットワークによって開始される場合）、費やされた時間とともに、過去に選択されたセルのリストをｅＮＢに送信すべきである。報告方法に関するさらに細かい事柄については、段落２．４を参照されたい。
【００８８】
ＵＥは、セルＩＤ及び時間とともに、ＲＡＴ及び周波数情報も報告する場合がある。
【００８９】
４．４．報告方法
本稿では２つの報告方法が提案される。
・ＵＥによって開始される場合
・オプション１（図８Ａ）
・ＵＥは、ネットワークに（たとえば、ＲＲＣ初期直接転送において）アクセスし、アクティブ状態に入るとき、費やされた時間とともに、過去に選択／再選択されたセルの履歴を報告する。
・オプション２（図８Ｂ）
・ＵＥは、２つのセル間のピンポン現象を検出した直後、ｅＮＢに報告を送信する。
・ピンポン現象検出は、ＢＣＨチャネル内でｅＮＢによって送信されるパラメータ（たとえば、ピンポンタイマ）に基づく。
【００９０】
いずれのオプションでも、ピンポン現象検出の目的に応じて、ＵＥは、ｅＮＢに報告を送信する前に、いくつかの条件を評価する場合がある。
【００９１】
したがって、たとえば、セル選択／再選択履歴の報告を受信する目的がＴＡ間のピンポン現象を検出するだけである場合には、ＵＥは、ＵＥが待ち受けたセルのＴＡが直前のセルのＴＡと異なるか否かを確認することができる。
【００９２】
また、セル選択／再選択パラメータの設定不良に起因するピンポン現象と、ＵＥ高速移動によって引き起こされるピンポン現象とを区別できることも重要である。それを果たすために、ＵＥは、高速移動状態にあるか否かを確認することができる。その報告は、その高速移動状態にあることが確認されない場合にのみ送信されるであろう。
【００９３】
・ネットワークによって開始される場合
・オプション３（図８Ｃ）
・ＵＥは、ｅＮＢから要求されるときはいつでも、各セルにおいて費やされた時間とともに、選択／再選択されたセルの履歴を報告する。この場合、ｅＮＢによって通信可能であるために、ＵＥはアクティブ状態になければならないのは明らかである。このオプションの主な利点は、ｅＮＢが収集すべきデータの量を、それゆえ必要とされるシグナリングの量を制御することである。
【００９４】
結論
本稿において、周波数内及び周波数間両方の場合のＬＴＥ内セル選択／再選択、及びＲＡＴ間セル選択／再選択中に、ピンポン現象を検出するために用いられる簡単な仕組みを提案する。
【００９５】
その仕組みは、ＵＥが、各セルにおいて費やされた時間とともに、アイドル状態中に直前に訪れたセルを追跡し、アクティブ状態に入るときに、又はｅＮＢによって要求されるときに、ｅＮＢに通知することにある。
【００９６】
本稿を検討し、提案される仕組みに合意することを提案する。ＮＥＣは、３６．３００に対する必要なＣＲを準備するのに応じることができる。
【００９７】
本出願は、２００８年２月４日に出願の英国特許出願第０８０２０２１．６号に基づいており、その特許出願からの優先権の利益を主張し、その特許出願の開示は参照によりその全体が本明細書に援用される。
【図１】
2011511488.tif 000003
【図２】
2011511488.tif 000004
【図３】
2011511488.tif 000005
【図４】
2011511488.tif 000006
【図５】
2011511488.tif 000007
【図６】
2011511488.tif 000008
【図７】
2011511488.tif 000009
【図８Ａ】
2011511488.tif 000010
【図８Ｂ】
2011511488.tif 000011
【図８Ｃ】
2011511488.tif 000012
【国際調査報告】
2011511488.tif 000013
2011511488.tif 000014
2011511488.tif 000015